(57)【特許請求の範囲】
【請求項１】
表示部と、該表示部に画像を表示すべく制御する複数の制御部と、前記複数の制御部のいずれで前記表示部を制御するかを決定する決定部と、前記表示部の制御を前記決定部の決定に応じて切り替える切替部とを備える表示制御装置において、
前記決定部の決定に応じた所定のレベルの信号を前記切替部に対して配された信号線に送出する信号送出部を備え、
前記切替部は、
前記信号線の信号レベルに応じて、前記複数の制御部のいずれかにより前記表示部を制御するように切り替え、
前記表示制御装置は、
さらに、前記信号線の信号レベルを検出する検出部と、
前記決定部の決定に応じて送出された信号レベルと、前記検出部が検出した信号レベルとの同異に基づいて、正常又は異常の別を判定する判定部と
を備えることを特徴とする表示制御装置。
【請求項２】
前記複数の制御部は、
前記表示部を制御するためのプログラムを実行するＣＰＵをそれぞれ有し、
前記決定部が決定した制御部を除く他の制御部の前記プログラムの実行を停止させる停止部を備えることを特徴とする請求項１に記載の表示制御装置。
【請求項３】
前記複数の制御部は、
自身が有するＣＰＵの電力消費を制御する電力制御部を備えることを特徴とする請求項２に記載の表示制御装置。
【請求項４】
表示部と、該表示部に画像を表示すべく制御する複数の制御部と、前記複数の制御部のいずれで前記表示部を制御するかを決定する決定部と、前記表示部の制御を前記決定部の決定に応じて切り替える切替部とを備える表示制御装置による表示制御方法において、
前記決定部の決定に応じた所定のレベルの信号を前記切替部に対して配された信号線に信号送出部が送出し、
前記切替部は、
前記信号線の信号レベルに応じて、前記複数の制御部のいずれかにより前記表示部を制御するように切り替え、
さらに、前記信号線の信号レベルを検出部が検出し、
前記決定部の決定に応じて送出された信号レベルと、前記検出部が検出した信号レベルとの同異に基づいて、正常又は異常の別を判定部が判定することを特徴とする表示制御方法。
【発明の詳細な説明】
【技術分野】
【０００１】
本発明は、表示部に画像を表示すべく制御するための複数の制御部を備える表示制御装置及び表示制御方法に関する。
【背景技術】
【０００２】
マイクロコンピュータなどの集積回路が実装された基板を用いる機器（例えば、デジタルカラー複合機、カラープリンタなど）では、マイクロコンピュータの出力ポートからの信号レベルの高低（例えば、ハイ又はロー）に応じて、基板上のトランジスタのオン／オフ制御、汎用ロジック回路の出力のオン／オフ制御、あるいは電子回路の切り替え制御などが行われている。
【０００３】
一方で、このような集積回路内の駆動回路を構成する複数のトランジスタの出力端子の断線又は短絡などの異常を検出可能にするため、個々のトランジスタにテスト用の抵抗を接続し、個々のトランジスタをオンさせたときに所定の電圧が検出されるか否かに応じて異常を検出することができる集積回路基板及び動作チェック装置が開示されている（特許文献１参照）。
【先行技術文献】
【特許文献】
【０００４】
【特許文献１】特開２００１−１５０６８８号公報
【発明の概要】
【発明が解決しようとする課題】
【０００５】
しかしながら、特許文献１の装置は、集積回路基板に駆動回路をＬＳＩ形成する後工程に入る前に駆動回路の良否を判定するものであるため、一旦生産されたこれらの基板が別の機器に組み込まれた後では、基板の異常を検出することができない。
【０００６】
例えば、表示パネルの制御を行う制御系（制御回路）を複数設け、いずれの制御系からでも表示パネルを制御することができる機能を備えるデジタルカラー複合機では、どの制御系が表示パネルを制御しているかが把握することができることが望ましい。また、仮に異常（期待通りの動作をしていない状態）が発生した場合には、当該異常状態を検知することが望まれる。
【０００７】
本発明は、斯かる事情に鑑みてなされたものであり、表示部を制御する複数の制御部のいずれが制御を行っているかを検知することができる表示制御装置及び表示制御方法を提供することを目的とする。
【課題を解決するための手段】
【０００８】
本発明に係る表示制御装置は、表示部と、該表示部に画像を表示すべく制御する複数の制御部と、前記複数の制御部のいずれで前記表示部を制御するかを決定する決定部と、前記表示部の制御を前記決定部の決定に応じて切り替える切替部とを備える表示制御装置において、前記決定部の決定に応じた所定のレベルの信号を前記切替部に対して配された信号線に送出する信号送出部を備え、前記切替部は、前記信号線の信号レベルに応じて、前記複数の制御部のいずれかにより前記表示部を制御するように切り替え、前記表示制御装置は、さらに、前記信号線の信号レベルを検出する検出部と、前記決定部の決定に応じて送出された信号レベルと、前記検出部が検出した信号レベルとの同異に基づいて、正常又は異常の別を判定する判定部とを備えることを特徴とする。
【００１１】
本発明に係る表示制御装置は、前記複数の制御部は、前記表示部を制御するためのプログラムを実行するＣＰＵをそれぞれ有し、前記決定部が決定した制御部を除く他の制御部の前記プログラムの実行を停止させる停止部を備えることを特徴とする。
【００１２】
本発明に係る表示制御装置は、前記複数の制御部は、自身が有するＣＰＵの電力消費を制御する電力制御部を備えることを特徴とする。
【００１３】
本発明に係る表示制御方法は、表示部と、該表示部に画像を表示すべく制御する複数の制御部と、前記複数の制御部のいずれで前記表示部を制御するかを決定する決定部と、前記表示部の制御を前記決定部の決定に応じて切り替える切替部とを備える表示制御装置による表示制御方法において、前記決定部の決定に応じた所定のレベルの信号を前記切替部に対して配された信号線に信号送出部が送出し、前記切替部は、前記信号線の信号レベルに応じて、前記複数の制御部のいずれかにより前記表示部を制御するように切り替え、さらに、前記信号線の信号レベルを検出部が検出し、前記決定部の決定に応じて送出された信号レベルと、前記検出部が検出した信号レベルとの同異に基づいて、正常又は異常の別を判定部が判定することを特徴とする。
【００１４】
本発明にあっては、複数の制御部のいずれかが切替部を介して表示部を制御する。制御部は、例えば、ＣＰＵを有するマイクロコンピュータを備える。一の制御部は、いずれの制御部で制御するかを決定する決定部と、決定部で決定した制御部で制御しているか否かを検出する検出部とを備える。決定部は、マイクロコンピュータの出力ポートを用い、検出部は、マイクロコンピュータの入力ポートを用いることができる。例えば、制御部Ａ、Ｂが設けられている場合に、一の制御部Ａの決定部は、制御部Ａが表示部の制御を行うことを示す信号を切替部へ出力する。切替部は、制御部Ａからの信号に基づいて、制御部Ａと表示部とを接続し、表示部の制御を制御部Ａに切り替える。制御部Ａの検出部は、制御部Ａから切替部へ出力された信号をフィードバックすることにより、制御部Ａで制御が行われることを検知する。これにより、表示部を制御する複数の制御部のいずれが制御を行っているかを検知することができる。
【００１５】
本発明にあっては、判定部は、決定部が決定した制御部と、検出部が検出した制御部との異同に基づいて、異常又は正常の別を判定する。例えば、決定部が制御部Ａで制御すると決定した場合に、検出部が制御部Ａで制御していることを検出したときは、正常（期待どおりの動作をしている状態）であると判定する。また、決定部が制御部Ａで制御すると決定した場合に、検出部が制御部Ｂで制御していることを検出したときは、異常（期待どおりの動作をしていない状態）であると判定する。これにより、動作状態が正常であるか異常であるかの状態を把握することが可能となる。
【００１６】
本発明にあっては、一の制御部と切替部との間に信号線を配してあり、信号送出部は、当該信号線に所定のレベルの信号を送出する。信号送出部は、一の制御部により制御され、例えば、ＣＰＬＤ（Complex Programmable Logic Device）で構成することができる。決定部は、信号送出部が信号線に送出した信号レベルを変化させて、いずれかの制御部を決定する。例えば、信号レベルをＬ（Low、ロー）に変化した場合には、制御部Ａが制御すると決定し、信号レベルをＨ（High、ハイ）に変化した場合には、制御部Ｂが制御すると決定することができる。
【００１７】
切替部は、信号線の信号レベルに応じて、いずれかの制御部に切り替える。例えば、信号レベルがＬ（Low、ロー）である場合には、制御部Ａに切り替え、信号レベルがＨ（High、ハイ）である場合には、制御部Ｂに切り替える。検出部は、信号線の信号レベルを検出する。判定部は、決定部が変化させた信号レベルと、検出部が検出した信号レベルとの同異に基づいて、正常又は異常の別を判定する。例えば、決定部が信号レベルをＬに変化した場合に、検出部が検出した信号レベルがＬであるときは、正常であると判定する。また、決定部が信号レベルをＬに変化した場合に、検出部が検出した信号レベルがＨであるときは、異常であると判定する。これにより、仮に異常（期待通りの動作をしていない状態）が発生した場合には、異常状態を検知することができる。
【００１８】
本発明にあっては、複数の制御部は、表示部を制御するためのプログラムを実行するＣＰＵをそれぞれ有する。停止部は、決定部が決定した制御部を除く他の制御部のプログラムの実行を停止させて、当該制御部を、例えば、省電力モードへ移行させる。例えば、制御部Ａ、Ｂのうち、制御部Ａで表示部を制御すると決定した場合には、制御部Ｂのプログラムの実行を停止し、制御部Ｂを省電力モードへ移行させることができる。ここで、省電力モードとは、制御部Ａ、Ｂ間の通信を行うための最低限の電力が制御部Ｂに供給されている状態であり、デジタル複合機などの省電力モードであるネットワーク待機などの状態と同様である。この省電力モードにより、システム全体の電力消費を抑制することができる。
【００１９】
本発明にあっては、一の制御部は、自身が有するＣＰＵの電力消費を制御する電力制御部を備える。電力制御部は、例えば、ＣＰＵと所定のインタフェースで接続されたパワーマネジメントＩＣである。電力制御部は、例えば、ＣＰＵの電力消費を低減すべくＣＰＵを省電力モード（スリープモードとも称する）に移行させる。この場合、ＣＰＵで実行するプログラムを所定のメモリ（例えば、ＨＤＤなど）に退避させるようにすればよい。これにより、一の制御部全体を省電力モードにすることができ、電力消費を低減することができる。
【発明の効果】
【００２０】
本発明によれば、表示部を制御する複数の制御部のいずれが制御を行っているかを検知することができる。
【図面の簡単な説明】
【００２１】
【図１】本実施の形態の表示制御装置の概要を示すブロック図である。
【図２】本実施の形態の表示制御装置の構成の一例を示すブロック図である。
【図３】本実施の形態の表示制御装置による動作状態の一例を示す説明図である。
【図４】本実施の形態の表示制御装置による処理手順を示すフローチャートである。
【発明を実施するための形態】
【００２２】
以下、本発明を実施の形態を示す図面に基づいて説明する。図１は本実施の形態の表示制御装置１００の概要を示すブロック図である。本実施の形態の表示制御装置１００は、例えば、デジタルカラー複合機であり、デジタルカラー複合機本体としての画像形成装置１０１、オプション等により設置される拡張ユニット１０２などを備える。
【００２３】
画像形成装置１０１は、表示部としての表示パネル１０、切替部としての切替コントローラ２０、複写処理、印刷処理、スキャン、ファックス、画像処理などを行う画像形成部３０、表示パネル１０の制御及び画像形成部３０の制御を行う制御部４０、ハードスイッチ６０などを備える。
【００２４】
また、拡張ユニット１０２は、表示パネル１０の制御を行う制御部５０を備える。これにより、表示制御装置１００は、表示パネル１０に画像を表示するための制御を行う複数の制御部４０、５０を備える。
【００２５】
制御部５０と切替コントローラ２０との間には、データ線１を設けてあり、制御部４０と切替コントローラ２０との間には、データ線２を設けてある。切替コントローラ２０と表示パネル１０との間には、データ線３を設けてある。制御部４０と画像形成部３０との間には、データ線４を設けてある。また、制御部５０、４０の間には、ＬＡＮ等の通信線８を設けてある。
【００２６】
制御部５０と切替コントローラ２０との間には、信号線６を設けてある。制御部５０は、信号線６に所定のレベルの信号を送出する。切替コントローラ２０は、信号線６の信号レベルに応じて、表示パネル１０の制御を、制御部５０、４０のいずれかに切り替える。
【００２７】
制御部５０、４０はそれぞれデータ線１、２を介して、画像データ（例えば、各画素のＲＧＢデータ）、表示パネル１０の各ピクセルをオン／オフさせるための信号、水平同期及び垂直同期などのタイミング信号を、切替コントローラ２０を介して表示パネル１０へ出力する。
【００２８】
以下、制御部４０、５０の詳細について説明する。図２は本実施の形態の表示制御装置１００の構成の一例を示すブロック図である。図２に示すように、制御部４０は、マイクロコンピュータ４１、ＲＯＭ４２、ＲＡＭ４３、ＨＤＤ（ハードディスクドライブ）４４などを備える。なお、ＨＤＤ４４に代えて、ＳＳＤ（ソリッドステートドライブ）など他の記録媒体を用いることもできる。
【００２９】
マイクロコンピュータ４１は、表示パネル１０とのインタフェース機能を有するＬＣＤインタフェース部４１１、制御部５０とのインタフェース機能を有するＬＡＮインタフェース部４１２、画像形成部３０とのインタフェース機能を有するインタフェース部４１３などを備える。
【００３０】
ＲＯＭ４２には、制御部４０の制御処理に関連する各種設定値、表示パネル１０を制御するためのプログラム、画像形成部３０を制御するためのプログラム等が格納してある。ＲＡＭ４３は、ＲＯＭ４２に格納されたプログラムの動作用のメモリである。また、ＨＤＤ４４は、ＲＯＭ４２に格納することができないプログラムを格納するとともに、ＲＡＭ４３にロードすることができなかったプログラムを一時的に格納するキャッシュとして機能する。
【００３１】
制御部５０は、マイクロコンピュータ５１、パワーマネジメントＩＣ５２、ＣＰＬＤ（Complex Programmable Logic Device）５３、ＲＯＭ５７、ＲＡＭ５４、ＨＤＤ（ハードディスクドライブ）５５、トランジスタ５６、抵抗５６１、５６２などを備える。なお、ＨＤＤ５５に代えて、ＳＳＤ（ソリッドステートドライブ）など他の記録媒体を用いることもできる。
【００３２】
マイクロコンピュータ５１は、表示パネル１０とのインタフェース機能を有するＬＣＤインタフェース部５１１およびメモリコントローラを備える。パワーマネジメントＩＣ５２は、決定部、検出部及び判定部として機能する。パワーマネジメントＩＣ５２は、決定部として機能する出力ポート５２１、検出部として機能する入力ポート５２２、制御部４０とのインタフェース機能を有するＬＡＮインタフェース部５２３などを備える。マイクロコンピュータ５１とパワーマネジメントＩＣ５２との間は、例えば、ＤＭＩ（Direct Media Interface）などのＣＰＵインタフェース７で接続してある。
【００３３】
ＣＰＬＤ５３は、パワーマネジメントＩＣ５２の制御のもと、信号送出部として機能する。ＣＰＬＤ５３は、信号送出部としての出力ポート５３１を備える。出力ポート５３１には、信号線６を接続してある。
【００３４】
トランジスタ５６のコレクタは信号線６に接続してあり、トランジスタ５６のコレクタと信号線６との接続ノードには、パワーマネジメントＩＣ５２の入力ポート５２２を接続してある。また、トランジスタ５６のベースは、抵抗５６１を介してパワーマネジメントＩＣ５２の出力ポート５２１に接続してある。トランジスタ５６のベース・エミッタ間には、バイアス用の抵抗５６２を接続してあり、トランジスタ５６のエミッタは基準レベル（例えば、ＧＮＤレベル）に接続してある。なお、トランジスタ５６に代えて、ＦＥＴなどのスイッチング素子を用いることもできる。
【００３５】
ＲＯＭ５７には、制御部５０を起動させるためのプログラムが格納され、また、制御部５０の制御処理に関連する各種設定値、表示パネル１０を制御するためのプログラムが格納してある。ＲＡＭ５４は、ＲＯＭ５７に格納されたプログラムの動作用のメモリである。また、ＨＤＤ５５は、ＲＯＭ５７に格納することができないプログラムを格納するとともに、ＲＡＭ５４にロードすることができなかったプログラムを一時的に格納するキャッシュとして機能する。
【００３６】
また、信号線６には、ハードスイッチ６０を設けてあり、ハードスイッチ６０を閉じることにより、信号線６の信号レベルを強制的に基準レベルにすることができる。ハードスイッチ６０は、通常時には開いている。ハードスイッチ６０を閉じるのは、例えば、表示制御装置１００の生産工程で、意図的に表示パネル１０の制御を制御部４０に切り替える場合である。
【００３７】
次に、本実施の形態の表示制御装置１００の動作について説明する。電源が投入され、表示制御装置１００が起動すると、ＣＰＬＤ５３は、出力ポート５３１を介して信号線６にハイレベル（Ｈｉｇｈ）の信号を送出する。すなわち、出力ポート５３１は、システム起動後の通常時には、ハイレベル（Ｈｉｇｈ）の信号を出力する。
【００３８】
また、電源が投入され、表示制御装置１００が起動すると、パワーマネジメントＩＣ５２は、出力ポート５２１を介してローレベル（Ｌｏｗ）の信号を出力する。出力ポート５２１から出力される信号がローレベルであるので、トランジスタ５６はオフ状態であり、信号線６に送出されたハイレベル（Ｈｉｇｈ）の信号が入力ポート５２２にフィードバックされる。
【００３９】
また、不図示の操作パネルにより、ユーザが表示パネル１０の制御を制御部５０から制御部４０へ切り替えるためのコマンド操作を行った場合、パワーマネジメントＩＣ５２は、出力ポート５２１を介してハイレベル（Ｈｉｇｈ）の信号を出力する。出力ポート５２１から出力される信号がハイレベルであるので、トランジスタ５６がオン状態となり、信号線６に送出されたハイレベル（Ｈｉｇｈ）の信号が基準レベル（すなわち、ローレベル）に変化する。
【００４０】
すなわち、パワーマネジメントＩＣ５２の出力ポート５２１は、ＣＰＬＤ５３が送出した信号レベルを変化させて、いずれの制御部５０、４０に表示パネル１０の制御を行わせるかを決定する。
【００４１】
ＣＰＬＤ５３の出力ポート５３１からハイレベル（Ｈｉｇｈ）の信号が信号線６に送出されると、ハードスイッチ６０は開いているので、切替コントローラ２０は、ハイレベル（Ｈｉｇｈ）の信号を取得する。切替コントローラ２０は、ハイレベル（Ｈｉｇｈ）の信号を取得した場合、表示パネル１０の制御を制御部５０に切り替え、ローレベル（Ｌｏｗ）の信号を取得した場合、表示パネル１０の制御を制御部４０に切り替る。
【００４２】
一方、パワーマネジメントＩＣ５２は、入力ポート５２２でハイレベル（Ｈｉｇｈ）の信号を取得した場合、表示パネル１０の制御が制御部５０により行われていると検出する。また、パワーマネジメントＩＣ５２は、入力ポート５２２でローレベル（Ｌｏｗ）の信号を取得した場合、表示パネル１０の制御が制御部４０により行われていると検出する。
【００４３】
また、パワーマネジメントＩＣ５２は、出力ポート５２１を介して変化させた信号線６の信号レベルと入力ポート５２２で検出した信号レベルとが同じレベルである場合、表示制御装置１００は正常（期待どおりの動作をしている状態）であると判定する。また、パワーマネジメントＩＣ５２は、出力ポート５２１を介して変化させた信号線６の信号レベルと入力ポート５２２で検出した信号レベルとが異なるレベルである場合、表示制御装置１００は異常（期待どおりの動作をしていない状態）であると判定する。
【００４４】
例えば、ＣＰＬＤ５３の出力ポート５３１からハイレベルの信号を信号線６に送出し、パワーマネジメントＩＣ５２の出力ポート５２１がローレベルの信号を出力してトランジスタ５６をオフ状態にして、信号線６の信号レベルをハイレベルに維持させようとした場合に、入力ポート５２２がローレベルの信号を検出したときには、パワーマネジメントＩＣ５２は、表示制御装置１００が異常であると判定する。信号線６にハイレベルの信号を送出したにもかかわらず、信号線６のレベルがローレベルとなるのは、例えば、制御部５０と切替コントローラ２０との間の信号線６が、複数の基板を経由して接続されている場合に、予期せぬケーブルの線噛み、あるいは被覆が破れることによる筐体への接触で短絡が発生するとき、あるいは回路基板上で電子部品の実装ミスなどにより信号レベルが通常時と異なるレベルになるときなどである。
【００４５】
図３は本実施の形態の表示制御装置１００による動作状態の一例を示す説明図である。図３に示す動作状態は、ハードスイッチ６０が開いている状態である。図３に示すように、ＣＰＬＤ５３の出力ポート５３１は、ハイレベル（Ｈとも称する）の信号を信号線６に送出する。パワーマネジメントＩＣ５２の出力ポート５２１がローレベル（Ｌとも称する）を出力する場合、トランジスタ５６はオフ状態になるので、信号線６の信号レベルはハイレベルに維持される。このときに、入力ポート５２２がハイレベル（Ｈ）を検出すると、パワーマネジメントＩＣ５２は、表示制御装置１００は期待どおりの動作をしていると判定するとともに、制御部５０が表示パネル１０の制御を行っていると検知する。
【００４６】
また、パワーマネジメントＩＣ５２の出力ポート５２１がハイレベル（Ｈ）を出力する場合、トランジスタ５６はオン状態になるので、信号線６の信号レベルはローレベルに変化する。このときに、入力ポート５２２がローレベル（Ｌ）を検出すると、パワーマネジメントＩＣ５２は、表示制御装置１００は期待どおりの動作をしていると判定するとともに、制御部４０が表示パネル１０の制御を行っていると検知する。
【００４７】
一方、パワーマネジメントＩＣ５２の出力ポート５２１がローレベル（Ｌ）を出力する場合、トランジスタ５６はオフ状態になるので、信号線６の信号レベルはハイレベルに維持されるはずである。しかし、このときに、入力ポート５２２がローレベル（Ｌ）を検出すると、パワーマネジメントＩＣ５２は、表示制御装置１００は期待どおりの動作をしていない（異常）と判定する。
【００４８】
また、パワーマネジメントＩＣ５２の出力ポート５２１がハイレベル（Ｈ）を出力する場合、トランジスタ５６はオン状態になるので、信号線６の信号レベルはローレベルに変化するはずである。しかし、このときに、入力ポート５２２がハイレベル（Ｈ）を検出すると、パワーマネジメントＩＣ５２は、表示制御装置１００は期待どおりの動作をしていない（異常）と判定する。
【００４９】
上述のとおり、パワーマネジメントＩＣ５２は、出力ポート５２１から出力する信号により、いずれの制御部４０、５０が表示パネル１０を制御するかを決定する。そして、パワーマネジメントＩＣ５２は、入力ポート５２２により、決定された制御部が制御を行っているか否かを検出するので、表示パネル１０を制御する複数の制御部４０、５０のいずれが制御を行っているかを検知することができる。
【００５０】
また、パワーマネジメントＩＣ５２は、出力ポート５２１を介して決定した制御部と、入力ポート５２２を介して検出した制御部との同異に基づいて、正常又は異常の別を判定する。例えば、パワーマネジメントＩＣ５２が制御部５０で制御すると決定した場合に、パワーマネジメントＩＣ５２が制御部５０で制御していることを検出したときは、正常（期待どおりの動作をしている状態）であると判定する。また、パワーマネジメントＩＣ５２が制御部５０で制御すると決定した場合に、パワーマネジメントＩＣ５２が制御部４０で制御していることを検出したときは、異常（期待どおりの動作をしていない状態）であると判定する。これにより、動作状態が正常であるか異常であるかの状態を把握することが可能となる。
【００５１】
また、パワーマネジメントＩＣ５２は、信号線６での変化させた信号レベルと、検出した信号レベルとの同異に基づいて、正常又は異常の別を判定する。例えば、パワーマネジメントＩＣ５２が信号線６での信号レベルをローレベル（Ｌ）に変化した場合に、検出した信号レベルがローレベル（Ｌ）であるときは、正常であると判定する。また、パワーマネジメントＩＣ５２が信号線６での信号レベルをローレベル（Ｌ）に変化した場合に、検出した信号レベルがハイレベル（Ｈ）であるときは、異常であると判定する。これにより、仮に異常（期待通りの動作をしていない状態）が発生した場合には、異常状態を正しく検知することができる。
【００５２】
上述の実施の形態において、切り替え制御が期待どおり動作しているときは、その状態に応じて、表示パネル１０を制御していない制御部を省電力モードにすることができる。例えば、表示パネル１０を制御していない制御部４０は、表示パネル１０を制御するためのプログラムの実行を停止し、省電力モードへ移行する。ここで、省電力モードとは、例えば、制御部４０、５０間の通信を行うための最低限の電力が制御部５０に供給されている状態であり、デジタル複合機などの省電力モードであるネットワーク待機などの状態と同様である。この省電力モードにより、システム全体の電力消費を抑制することができる。
【００５３】
パワーマネジメントＩＣ５２は、制御部５０が有するＣＰＵとしてのマイクロコンピュータ５１の電力消費を制御する電力制御部としての機能を有する。
【００５４】
パワーマネジメントＩＣ５２は、例えば、マイクロコンピュータ５１の電力消費を低減すべくマイクロコンピュータ５１を省電力モード（スリープモードとも称する）に移行させる。この場合、マイクロコンピュータ５１で実行するプログラムを所定のメモリ（例えば、ＨＤＤ５５など）に退避させるようにすればよい。これにより、制御部５０全体を省電力モードにすることができ、電力消費を低減することができる。
【００５５】
図４は本実施の形態の表示制御装置１００による処理手順を示すフローチャートである。図４の処理において、ハードスイッチ６０は開いている状態とする。以下の処理において、処理の主体である表示制御装置１００を便宜上装置１００と称する。装置１００は、電源オンされたか否かを判定し（Ｓ１１）、電源オンされていない場合（Ｓ１１でＮＯ）、ステップＳ１１の処理を続ける。電源オンされた場合（Ｓ１１でＹＥＳ）、装置１００は、パワーマネジメントＩＣ５２の出力ポート５２１がローレベルであるか否かを判定する（Ｓ１２）。
【００５６】
出力ポート５２１がローレベルである場合（Ｓ１２でＹＥＳ）、装置１００は、表示パネル１０の制御を制御部５０に切り替え（Ｓ１３）、制御部５０で表示パネル１０を制御する（Ｓ１４）。装置１００は、パワーマネジメントＩＣ５２の入力ポート５２２がハイレベルであるか否かを判定する（Ｓ１５）。
【００５７】
入力ポート５２２がハイレベルである場合（Ｓ１５でＹＥＳ）、装置１００は、制御部５０による制御であることを検知する（Ｓ１６）。なお、検知した結果を表示又は報知することもできる。これにより、ユーザが動作状態を把握することができる。
【００５８】
一方、出力ポート５２１がローレベルでない場合（Ｓ１２でＮＯ）、装置１００は、表示パネル１０の制御を制御部４０に切り替え（Ｓ１７）、制御部４０で表示パネル１０を制御する（Ｓ１８）。装置１００は、パワーマネジメントＩＣ５２の入力ポート５２２がローレベルであるか否かを判定する（Ｓ１９）。
【００５９】
入力ポート５２２がローレベルである場合（Ｓ１９でＹＥＳ）、装置１００は、制御部４０による制御であることを検知する（Ｓ２０）。なお、検知した結果を表示又は報知することもできる。これにより、ユーザが動作状態を把握することができる。
【００６０】
ステップＳ１５で入力ポート５２２がハイレベルでない場合（Ｓ１５でＮＯ）、あるいはステップＳ１９で入力ポート５２２がローレベルでない場合（Ｓ１９でＮＯ）、装置１００は、異常と判定する（Ｓ２１）。なお、異常と判定したときに、自動的に電源をオフにしてもよい。
【００６１】
装置１００は、電源がオフされたか否かを判定し（Ｓ２２）、電源がオフされていない場合（Ｓ２２でＮＯ）、ステップＳ１２以降の処理を繰り返し、電源がオフされた場合（Ｓ２２でＹＥＳ）、処理を終了する。
【００６２】
上述の実施の形態では、デジタルカラー複合機を例として説明したが、これに限定されるものではなく、被制御対象を制御する制御系を複数備える機器又はシステムであれば、本実施の形態を適用することが可能である。
【００６３】
上述の実施の形態では、電源投入（電源オン）後は、通常（例えば、業務モード時）、制御部５０が表示パネル１０の制御を行う構成であった。この場合、他方の制御部４０による制御は、例えば、特殊な場合に行うようにすることができる。特殊な場合とは、例えば、業務モードと称する課金を解除したコピー実行時、保守要員が保守を行う際に制御部４０に切り替えるときなどである。
【符号の説明】
【００６４】
６  信号線
１０  表示パネル（表示部）
２０  切替コントローラ（切替部）
３０  画像形成部
４０、５０  制御部
５６  トランジスタ
６０  ハードスイッチ
４１  マイクロコンピュータ（ＣＰＵ）
５１  マイクロコンピュータ（ＣＰＵ）
５２  パワーマネジメントＩＣ（決定部、検出部、判定部、電力制御部）
５２１  出力ポート（決定部）
５２２  入力ポート（検出部）
５３  ＣＰＬＤ（信号送出部）
５３１  出力ポート（信号送出部）
【図１】
0005939878.tif 000002
【図２】
0005939878.tif 000003
【図３】
0005939878.tif 000004
【図４】
0005939878.tif 000005